(57)【要約】      （修正有）【課題】取付板の透孔周辺に溶接スパッタ等が付着している場合であっても、溶接スパッタ部分を回避して取り付けるクリップを提供する。【解決手段】クリップ１１は、フランジ部１１１と、フランジ部から下方に垂下されるように一体に成形された脚部１５とから構成されている。クリップの脚部は、取付板の透孔内に挿入され、クリップのフランジ部とともに取付板を挟持して固定する。脚部は、フランジ部から垂下する一対の弾性係止片１１２，１１３と、弾性係止片の他端を連結する連結部１１６と、連結部からフランジ部方向に延びる一対の片持係止片１１７，１１８とから構成されている。弾性係止片は、取付板の一方である下部を挟持するために、透孔内を通過して、取付板の下部に係止できる係止部が成形されている。弾性係止片に成形された係止部は、溶接スパッタを回避できる弾性を有するとともに、透孔に対するガタ付きを防止することができる。【選択図】図１
2010209923.tif 000002
【特許請求の範囲】
【請求項１】
取付板に設けられた透孔内に脚部が係止され、前記脚部が回転方向に移動可能なクリップにおいて、
前記透孔の上に位置するように設けられたフランジ部と；
前記フランジ部から垂下し、前記透孔内を通過して、前記取付板の下部に係止できる係止部が設けられている少なくとも一対の弾性係止片と、
前記弾性係止片の先端部どうしを一体に繋ぐ環状連結部と、
前記環状連結部に一体に設けられ、フランジ部方向に延びるとともに、前記係止部とほぼ同じ位置に係合部が設けられている少なくとも一対の片持係止片と、
から少なくとも構成されている脚部と；
を備えていることを特徴とするクリップ。
【請求項２】
前記片持係止片は、係合部の外側端部から内方向に向かう複数の傾斜面を備えていることを特徴とする請求項１に記載されたクリップ。
【発明の詳細な説明】
【技術分野】
【０００１】
本発明は、取付板の透孔周辺に溶接スパッタ等が付着している場合であっても、前記溶接スパッタ部分を回避して取り付けることができるクリップに関するものである。
【背景技術】
【０００２】
従来のクリップは、たとえば、特開２００８−１１１４５１号公報に記載されているように、透孔の孔縁に溶接スパッタが付着している場合、前記溶接スパッタにより取り付けが困難であった。また、特開２００８−１６２３９３号公報、および特開平８−１４２７３０号公報に記載されているクリップは、同様に、透孔に溶接スパッタが付着していない状態で取り付けられるものである。
【先行技術文献】
【特許文献】
【０００３】
【特許文献１】特開２００８−１１１４５１号公報
【特許文献２】特開２００８−１６２３９３号公報
【特許文献３】特開平８−１４２７３０号公報
【発明の概要】
【発明が解決しようとする課題】
【０００４】
前記従来例におけるクリップは、取付板の透孔近傍に溶接スパッタが付着している場合、タガネ、ショット、あるいは、ブラストによって除去した後に、前記透孔に取り付けられていた。前記溶接スパッタの除去作業は、全数検査が必要であり、一つ一つの除去にも、作業時間がかかり高価なものとなっていた。また、前記溶接スパッタが小さい場合、前記クリップは、取付板の透孔に入るが、前記クリップの一部が前記溶接スパッタの上に乗り、安定に取り付けることができないという問題を有していた。
【０００５】
以上のような課題を解決するために、本発明は、取付板の透孔近傍に溶接スパッタが付着していても、前記溶接スパッタを回避するとともに、ガタ付きのない安定した取り付けができるクリップを提供することを目的とする。
【課題を解決するための手段】
【０００６】
（第１発明）
第１発明のクリップは、取付板に設けられた透孔内に脚部が係止され、前記脚部が回転方向に移動可能であり、前記透孔の上に位置するように設けられたフランジ部と；
前記フランジ部から垂下し、前記透孔内を通過して、前記取付板の下部に係止できる係止部が設けられている少なくとも一対の弾性係止片と、前記弾性係止片の先端部どうしを一体に繋ぐ環状連結部と、前記環状連結部に一体に設けられ、フランジ部方向に延びるとともに、前記係止部とほぼ同じ位置に係合部が設けられている少なくとも一対の片持係止片とから少なくとも構成されている脚部と；
を備えていることを特徴とする。
【０００７】
（第２発明）
第２発明のクリップにおいて、前記片持係止片は、係合部の外側端部から内方向に向かう複数の傾斜面を備えていることを特徴とする。
【発明の効果】
【０００８】
本発明によれば、クリップに設けられた弾性係止片および片持係止片の形状を工夫することで、溶接スパッタの全数検査、あるいは、前記溶接スパッタの除去にかかる手間を無くすことができ、しかも、保持力が高く、ガタ付きのない取り付けができるようになった。
【０００９】
本発明によれば、前記弾性係止片および片持係止片の形状により、取付板の透孔近傍に付着した溶接スパッタを回避することができるようになった。
【００１０】
本発明によれば、片持係止片に設けられた傾斜面により、前記片持係止片自体が左右に振れる構造になっているため、前記溶接スパッタを回避するようにクリップの脚部が移動し、なおかつ、保持力を維持するとともに、ガタ付きを防止することができる。
【図面の簡単な説明】
【００１１】
【図１】（イ）は本発明の実施例であるクリップの正面図、（ロ）は平面図、（ハ）は底面図である。（実施例１）
【図２】（イ）は本発明の実施例であるクリップの右側面図、（ロ）は図１（ロ）のＡ−Ａ断面図、（ハ）は図１（ロ）のＢ−Ｂ断面図、（ニ）は図１（イ）のＣ−Ｃ断面図である。
【図３】本発明の実施例において、取付板の透孔にクリップを取り付けた状態を説明するための図で、（イ）は断面図、（ロ）は透孔に溶接スパッタが付いてた場所を説明する図、（ハ）および（ニ）は溶接スパッタとクリップとの関係を説明するための図である。
【発明を実施するための形態】
【００１２】
（第１発明）
第１発明は、取付板に設けられた透孔の周辺に溶接スパッタがあっても、正しい位置に取り付けられる構造をしたクリップである。前記クリップは、フランジ部と、前記フランジ部から下方に垂下されるように一体に成形された脚部とから少なくとも構成されている。前記クリップの脚部は、取付板の透孔内に挿入され、前記クリップのフランジ部とともに前記取付板を挟持して固定する。
【００１３】
前記脚部は、フランジ部から垂下する一対の弾性係止片と、前記弾性係止片の他端を連結する連結部と、前記連結部から前記フランジ部方向に延びる一対の片持係止片とから構成されている。前記弾性係止片は、前記取付板の一方である下部を挟持するために、前記透孔内を通過して、前記取付板の下部に係止できる係止部が成形されている。前記弾性係止片に成形された係止部は、溶接スパッタを回避できる弾性を有するとともに、前記透孔に対するガタ付きを防止することができる。
【００１４】
また、前記係止部の成形位置は、挟持する取付板の厚さ、または複数の取付板を取り付ける場合等によって、任意の位置に設けられる。前記弾性係止片は、一対の弾性係止部材からなり、垂下された先端部どうしが互いに連結する環状連結部が一体に成形されている。さらに、前記フランジ部は、前記環状連結部に向けた垂下した一対の連結脚を設けることができる。前記連結脚は、前記環状連結部との強度を増すことができるため、前記弾性係止片を細目に成形することにより、溶接スパッタを避けることが容易にできる。
【００１５】
前記環状連結部は、フランジ部方向に延びるとともに、前記係止部とほぼ同じ位置に取付板と係合する係合部が設けられている少なくとも一対の片持係止片を一体に設けられている。前記弾性係止片および片持係止片は、弾性を有する合成樹脂製から成形されるとともに、細目に成形することで、より所望の弾性を持たせている。前記片持係止片は、前記係合部により、保持力を確保するとともに、透孔に対するガタ付きを防止することができる。
【００１６】
前記クリップは、前記取付板の透孔に前記脚部を挿入する際に、前記取付板の周辺の一部分に溶接スパッタが付いていても、前記溶接スパッタを回避して、脚部が四方向に撓むことができ、かつ、前記弾性係止片および片持係止片によって、安定した状態に取り付けることができる。
【００１７】
（第２発明）
第２発明のクリップにおいて、前記片持係止片は、係合部の外側端部から内方向に向って薄くなる傾斜面と、幅方向に向かって細くなる傾斜面とを備えている。前記片持係止片の各傾斜面は、溶接スパッタがあっても、動き易く取付板の透孔に嵌合できる。前記片持係止片は、保持力を確保するとともに、ガタ付きを防止する。また、前記片持係止片は、溶接スパッタが前記傾斜面に当たる際に、前記傾斜面に沿って回転する方向に撓むと同時に、前記溶接スパッタを避けてクリップ位置を移動させることができる。
。
【実施例】
【００１８】
図１（イ）は本発明の実施例であるクリップの正面図、（ロ）は平面図、（ハ）は底面図である。図２（イ）は本発明の実施例であるクリップの右側面図、（ロ）は図１（ロ）のＡ−Ａ断面図、（ハ）は図１（ロ）のＢ−Ｂ断面図、（ニ）は図１（イ）のＣ−Ｃ断面図である。図１および図２において、クリップ１１は、フランジ部１１１と、前記フランジ部１１１から下方に垂下されるように一体に成形された脚部１５とから少なくとも構成されている。前記クリップ１１の脚部１５は、取付板（図３（イ）１２参照）の透孔（図３（イ）符号１３参照）内に挿入され、前記クリップ１１のフランジ部１１１とともに前記取付板１２を挟持して固定する。
【００１９】
前記脚部１５は、フランジ部１１１から垂下する第１弾性係止片１１２および第２弾性係止片１１３と、前記弾性係止片１１２、１１３の下部他端を連結する環状連結部１１６と、前記環状連結部１１６から前記フランジ部１１１方向に延びる第１片持係止片１１７、第２片持係止片１１８とから構成されている。前記第１弾性係止片１１２および第２弾性係止片１１３は、少なくとも一対が対向して配置されている。また、前記第１片持係止片１１７および第２片持係止片１１８は、少なくとも一対が前記クリップ１１の中心点に対して点対照（図２参照）に配置されている。しかし、前記第１片持係止片１１７および第２片持係止片１１８は、必ずしも点対照である必要がない。
【００２０】
前記第１弾性係止片１１２および第２弾性係止片１１３は、前記取付板１２の一方である下部を挟持するために、前記透孔１３内を通過して、前記取付板１２の下部に係止できる第１係止部１１２′および第２係止部１１３′が成形されている。前記第１弾性係止片１１２および第２弾性係止片１１３に成形された第１係止部１１２′および第２係止部１１３′は、溶接スパッタ（図３（ロ）符号１４、１４′参照）を回避できる弾性を有するとともに、前記透孔１３に対するガタ付きを防止することができる。
【００２１】
また、前記第１係止部１１２′および第２係止部１１３′の成形位置は、挟持する取付板１２の厚さ、または複数の取付板を取り付ける場合等によって、任意の位置に設けられる。前記第１弾性係止片１１２および第２弾性係止片１１３は、一対の弾性を有する部材からなり、垂下された先端部どうしが互いに連結する環状連結部１１６が一体に設けられている。さらに、前記フランジ部１１１は、前記環状連結部１１６と一体に連結する垂下した一対の連結脚１１４、１１５を設けることができる。前記連結脚１１４、１１５は、前記環状連結部１１６ともに強度を増すことができるため、前記第１弾性係止片１１２および第２弾性係止片１１３を細目にして、溶接スパッタを避けることが容易にできる。
【００２２】
前記環状連結部１１６は、フランジ部１１１方向に延びるとともに、前記第１弾性係止片１１２および第２弾性係止片１１３とほぼ同じ位置に取付板１２と係合する係合部１１９、１２０が設けられている少なくとも一対の第１片持係止片１１７および第２片持係止片１１８が一体に設けられている。前記第１弾性係止片１１２、第２弾性係止片１１３および第１片持係止片１１７、第２片持係止片１１８は、弾性を有する合成樹脂製から成形されるとともに、細目に成形することで、より所望の弾性を持たせている。前記第１片持係止片１１７、第２片持係止片１１８は、前記係合部１１９、１２０により、前記取付板１２を保持する保持力を確保するとともに、透孔１３に対するガタ付きを防止することができる。
【００２３】
図３は本発明の実施例において、取付板の透孔にクリップを取り付けた状態を説明するための図で、（イ）は断面図、（ロ）は透孔に溶接スパッタが付いた場所を説明する図、（ハ）および（ニ）は溶接スパッタとクリップとの関係を説明するための図である。図３において、前記クリップ１１は、脚部１５を取付板１２の透孔１３に挿入することにより、前記フランジ１１１と、前記取付板１２の反対側において、前記第１係止部１１２′、第２係止部１１３′、第１係合部１１９、第２係合部１２０の少なくとも４箇所によって保持される。
【００２４】
前記クリップ１１は、前記取付板１２の透孔１３に前記脚部１５を挿入する際に、前記取付板１２の周辺の一部分に溶接スパッタ１４（図３（ハ））、１４′（図３（ニ））が付いていても、前記溶接スパッタ１４、１４′を回避して、脚部１５が局部的に撓むことができ、かつ、前記弾性係止片１１２、１１３および片持係止片１１７、１１８によって、安定した状態に取り付けられる。
【００２５】
たとえば、図３（ハ）において、前記片持係止片１１７は、溶接スパッタ１４により、嵌合が弱くなる。反対側の片持係止片１１８は、透孔１３側に押しつけられるようになり、嵌合が強くなる。図３（ニ）において、前記弾性係止片１１２は、溶接スパッタ１４′のために、撓んだままの状態で取り付けられる。図３に示されていないが、前記弾性係止片１１２、１１３および片持係止片１１７、１１８は、溶接スパッタの位置により、局部的に撓み、一方の嵌合が強く、または他方の嵌合が弱くなり、安定した状態で取り付けられる。
【００２６】
図２（イ）における拡大部において、前記第１片持係止片１１７、第２片持係止片１１８の前記係合部１１９、１２０は、内側に傾斜した第１傾斜面１２１、および第２傾斜面１２２（１２３）を設けることができる。前記片持係止片１１７、１１８の各傾斜面１２１、１２２、１２３は、溶接スパッタ１４があっても、根本から容易に撓むことができ、取付板１２の透孔１３に嵌合できる。前記片持係止片１１７、１１８は、保持力を確保するとともに、ガタ付きを防止する。また、前記片持係止片１１７、１１８は、溶接スパッタ１４が前記傾斜面１２１、１２２、１２３に当たる際に、前記傾斜面１２１、１２２、１２３に沿って回転するように振れると同時に、クリップ１１の位置も移動させる。
【００２７】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明のクリップは、特許請求の範囲に記載された範囲により、各部の形状を変更することができることはいうまでもない。
【符号の説明】
【００２８】
１１・・・クリップ
１１１・・・フランジ
１１２・・・第１弾性係止片
１１２′・・・第１係止部
１１３・・・第２弾性係止片
１１３′・・・第２係止部
１１４・・・第１連結脚
１１５・・・第２連結脚
１１６・・・環状連結部
１１７・・・第１片持係止片
１１８・・・第２片持係止片
１１９・・・第１係止端部
１２０・・・第２係止端部
１２１・・・第１傾斜面
１２２・・・第２傾斜面
１２３・・・第３傾斜面
１３・・・透孔
１４・・・溶接スパッタ
１５・・・脚部
【図１】
2010209923.tif 000003
【図２】
2010209923.tif 000004
【図３】
2010209923.tif 000005